(57)【要約】【課題】異なる２つの撮像装置の一方を用いて撮像しているときに他方を用いて撮像した場合、それぞれにおいて撮像された動画像および静止画像の見え方を合わせる。【解決手段】第１カメラ（１０）を用いて被写体の動画像を撮像しているときに第２カメラ（２０）を用いて静止画像を撮像する場合、動画撮像パラメータを用いて、静止画撮像を行う。【選択図】図１
2019197946.tif 000002
【特許請求の範囲】
【請求項１】
動画像を撮像する少なくとも１つの第１撮像装置と、静止画像を撮像する少なくとも１つの第２撮像装置と、少なくとも１つの制御装置とを備える電子機器であって、
上記制御装置は、上記第１撮像装置または上記第２撮像装置のいずれか一方を用いて被写体を撮像しているときに他方を用いて撮像する場合、上記第１撮像装置または上記第２撮像装置のいずれか一方を用いた撮像における撮像条件を示す撮像パラメータを用いて、他方を用いた上記被写体の撮像処理を行うことを特徴とする電子機器。
【請求項２】
上記制御装置は、上記撮像処理において、上記第１撮像装置を用いて上記被写体を撮像しているときに、上記第２撮像装置を用いて上記被写体を撮像する場合、上記第１撮像装置を用いた撮像における上記撮像パラメータを用いて、上記第２撮像装置を用いた撮像を行うことを特徴とする請求項１に記載の電子機器。
【請求項３】
上記制御装置は、上記撮像処理において、上記第１撮像装置に係る上記撮像パラメータを上記第２撮像装置用に変換し、変換後の上記撮像パラメータを用いて静止画像を撮像することを特徴とする請求項２に記載の電子機器。
【請求項４】
上記撮像パラメータには、自動露出調節用パラメータおよびホワイトバランス調節用パラメータの少なくとも何れかが含まれていることを特徴とする請求項１から３のいずれか１項に記載の電子機器。
【請求項５】
上記撮像パラメータには、さらにズーム倍率が含まれていることを特徴とする請求項４に記載の電子機器。
【請求項６】
請求項１〜５の何れか１項に記載の電子機器としてコンピュータを機能させるためのプログラムであって、上記撮像処理をコンピュータに実行させるためのプログラム。
【請求項７】
電子機器を制御する制御装置であって、
動画像を撮像する少なくとも１つの第１撮像装置または静止画像を撮像する少なくとも１つの第２撮像装置のいずれか一方を用いて被写体を撮像するときに、他方を用いた撮像における撮像条件を示す撮像パラメータを用いて、上記第１撮像装置または上記第２撮像装置のいずれか一方を用いた上記被写体の撮像処理を行うことを特徴とする制御装置。
【請求項８】
電子機器を制御する制御方法であって、
動画像を撮像する少なくとも１つの第１撮像装置または静止画像を撮像する少なくとも１つの第２撮像装置のいずれか一方を用いて被写体を撮像するときに、他方を用いた撮像における撮像条件を示す撮像パラメータを用いて、上記第１撮像装置または上記第２撮像装置のいずれか一方を用いた上記被写体の撮像処理を含むことを特徴とする制御方法。
【発明の詳細な説明】
【技術分野】
【０００１】
本発明は、電子機器、プログラム、制御装置、および制御方法に関する。
【背景技術】
【０００２】
撮像装置が撮像した画像の見え方を向上させる技術が開示されている。例えば、特許文献１には、第１の撮影画像データから生成された、背景領域となる第２の撮影画像データおよび主被写体領域となる第３の撮影画像に対して、画像補正処理を行う技術が開示されている。
【先行技術文献】
【特許文献】
【０００３】
【特許文献１】特開２０１６−１４９６３１号公報（２０１６年８月１８日公開）
【発明の概要】
【発明が解決しようとする課題】
【０００４】
しかしながら、上述のような従来技術は、異なる２つ撮像装置の一方を用いて撮像しているときに他方を用いて撮像した場合に、それぞれの撮像装置において撮像された動画像および静止画像の明るさや色合いなどの見え方を合わせられるとは限らない。
【０００５】
本発明の一態様は、異なる２つ撮像装置の一方を用いて撮像しているときに他方を用いて撮像した場合、それぞれにおいて撮像された動画像および静止画像の見え方を合わせることを目的とする。
【課題を解決するための手段】
【０００６】
上記の課題を解決するために、本発明の一態様に係る電子機器は、動画像を撮像する少なくとも１つの第１撮像装置と、静止画像を撮像する少なくとも１つの第２撮像装置と、少なくとも１つの制御装置とを備える電子機器であって、上記制御装置は、上記第１撮像装置または上記第２撮像装置のいずれか一方を用いて被写体を撮像しているときに他方を用いて撮像する場合、上記第１撮像装置または上記第２撮像装置のいずれか一方を用いた撮像における撮像条件を示す撮像パラメータを用いて、他方を用いた上記被写体の撮像処理を行う。
【０００７】
また、上記の課題を解決するために、本発明の一態様に係る制御装置は、電子機器を制御する制御装置であって、動画像を撮像する少なくとも１つの第１撮像装置または静止画像を撮像する少なくとも１つの第２撮像装置のいずれか一方を用いて被写体を撮像するときに、他方を用いた撮像における撮像条件を示す撮像パラメータを用いて、上記第１撮像装置または上記第２撮像装置のいずれか一方を用いた上記被写体の撮像処理を行う。
【０００８】
また、上記の課題を解決するために、本発明の一態様に係る制御方法は、電子機器を制御する制御方法であって、動画像を撮像する少なくとも１つの第１撮像装置または静止画像を撮像する少なくとも１つの第２撮像装置のいずれか一方を用いて被写体を撮像するときに、他方を用いた撮像における撮像条件を示す撮像パラメータを用いて、上記第１撮像装置または上記第２撮像装置のいずれか一方を用いた上記被写体の撮像処理を含む。
【発明の効果】
【０００９】
本発明の一態様によれば、異なる２つの撮像装置の一方を用いて撮像しているときに他方を用いて撮像した場合、それぞれにおいて撮像された動画像および静止画像の見え方を合わせることができる。
【図面の簡単な説明】
【００１０】
【図１】実施形態１に係る電子機器の要部の構成を示す機能ブロック図である。
【図２】実施形態１に係る電子機器の処理の流れを示すフローチャートである。
【図３】実施形態１における、撮像制御部が動画撮像パラメータのうちの一つを静止画撮像パラメータに変換するときに参照する表の一例である。
【発明を実施するための形態】
【００１１】
〔実施形態１〕
以下、実施形態１の電子機器１について説明する。
【００１２】
（電子機器１の概要）
電子機器１は、静止画像および動画像を撮像するカメラ機能を有する電子機器である。電子機器１は、動画像を撮像しているときに静止画像を撮像すること、および静止画像を撮像しているときに動画像を撮像することができる。電子機器１の例として、スマートフォン、デジタルカメラなどが挙げられる。
【００１３】
図１は、電子機器１の要部の構成を示す機能ブロック図である。電子機器１は、第１カメラ１０（第１撮像装置）、第２カメラ２０（第２撮像装置）、表示装置３０、シャッター４０、第１記録装置５０、第２記録装置６０、および制御装置７０を含んで構成される。
【００１４】
第１カメラ１０は、動画像を撮像するカメラモジュールである。第１カメラ１０は、第１カメラ１０に係わる、動画像を撮像する条件を示す動画撮像パラメータ（撮像パラメータ）を用いて動画像を撮像する。第２カメラ２０は、静止画像を撮像するカメラモジュールである。第２カメラ２０は、第２カメラ２０に係わる、静止画を撮像する条件を示す静止画撮像パラメータ（撮像パラメータ）を用いて静止画像を撮像する。
【００１５】
第１カメラ１０に係わる動画撮像パラメータおよび第２カメラ２０に係わる静止画撮像パラメータには、例えば、自動露光調節用パラメータ（ＡＥ）、自動ホワイトバランス調節用パラメータ（ＡＷＢ）、オートフォーカス用パラメータ（ＡＦ）、およびズーム倍率が含まれるが、これに限定されない。
【００１６】
表示装置３０は、第１カメラ１０および第２カメラ２０がそれぞれ撮像している動画像および静止画像を表示する表示デバイスである。また、表示装置３０は、ユーザの操作を受け付けるオブジェクトを表示し、当該オブジェクトに対するユーザの操作を受け付けるタッチセンサと一体型の構成であってもよい。表示装置３０の例として、液晶パネル、有機ＥＬ（Electro luminescence）などが挙げられる。
【００１７】
シャッター４０は、第１カメラ１０および第２カメラ２０の少なくとも何れかによる撮像を開始する旨の操作を受け付けるユーザインタフェースである。シャッター４０の例として、表示装置３０上に表示されるボタン、キーなどのスイッチなどが挙げられる。また、シャッター４０は、音声によって操作を受け付ける構成であってもよく、所定の音声が入力されると、当該入力を、撮像を開始する旨の操作として受け付ける構成であってもよい。また、シャッター４０は、画像認識などにより、シャッタータイミングを電子機器１側において判断し、自動で撮像を開始する構成であってもよい。
【００１８】
第１記録装置５０は、第１カメラ１０に係わる動画撮像パラメータが格納されている記録装置である。第２記録装置６０は、第１カメラ１０が撮像した動画像、および第２カメラ２０が撮像した静止画像が格納されている記録装置である。第１記録装置５０および第２記録装置６０の例として、ＲＡＭ（random access memory）、フラッシュメモリ、ＳＤカード、およびハードディスクドライブなどが挙げられる。
【００１９】
制御装置７０は、電子機器１の各部を統括的に制御する制御装置である。制御装置７０の例として、ＣＰＵ（Central Processing Unit）が挙げられる。また、制御装置７０は、ＤＳＰ（Digital Signal Processor）等の別チップの制御装置を含む構成であってもよい。
【００２０】
なお、図１は、電子機器１が各部を１つ含む場合について例示したものであるが、これに限定されない。すなわち電子機器１は、各部を少なくとも１つ含んで構成されていればよい。
【００２１】
（制御装置７０の詳細）
制御装置７０は、撮像制御部７１、動画エンコーダ７２、および静止画エンコーダ７３としても機能する。
【００２２】
撮像制御部７１は、接続された各部（第１カメラ１０、第２カメラ２０、シャッター４０、および第１記録装置５０）から情報を取得し、取得した情報を参照して接続された各部を制御する。
【００２３】
動画エンコーダ７２は、第１カメラ１０が撮像した動画を符号化する。動画エンコーダ７２は、符号化した動画を第２記録装置６０に格納する。
【００２４】
静止画エンコーダ７３は、第２カメラ２０が撮像した静止画を符号化する。静止画エンコーダ７３は、符号化した静止画を第２記録装置６０に格納する。
【００２５】
（制御装置７０が実行する処理）
図２は、実施形態１に係る電子機器１の処理の流れ（電子機器１を制御する制御方法）を示すフローチャートである。
【００２６】
シャッター４０は、動画像を撮像する旨の操作を受け付けると、当該操作を受け付けたことを示す操作情報を撮像制御部７１に出力する。撮像制御部７１は、当該操作情報を取得すると、第１カメラ１０を用いて被写体の動画像の撮像を開始する（Ｓ２０１）。なお、操作情報は、タッチセンサを備える表示装置３０から取得する構成であってもよい。
【００２７】
撮像制御部７１は、第１カメラ１０が撮像している被写体を参照し、第１カメラ１０に係わる動画撮像パラメータを所定の時間（例えば、５０ｍｓｅｃ）ごとに更新する。撮像制御部７１は、更新した第１カメラ１０に係わる動画撮像パラメータを、所定の時間ごとに第１記録装置５０に格納する（Ｓ２０２）。次に、撮像制御部７１は、シャッターが押下されたか否かを判定する（Ｓ２０３）。具体的には、撮像制御部７１は、シャッター４０（または、表示装置３０）から、静止画像を撮像する旨の操作を受け付けたことを示す操作情報を取得したか否かを判定する。撮像制御部７１は、シャッターが押下されていないと判定した場合、Ｓ２０２の処理に戻る。
【００２８】
一方、撮像制御部７１は、シャッターが押下されたと判定した場合、第１記録装置５０に格納されている、第１カメラ１０が現在撮像している条件を示す動画撮像パラメータを、静止画撮像用（第２撮像装置用）に変換する（Ｓ２０４）。すなわち、撮像制御部７１は、第１カメラ１０を用いた動画撮像における動画撮像パラメータを用いて、第２カメラ２０用の静止画撮像パラメータに変換する。そして、撮像制御部７１は、変換された動画撮像パラメータを静止画撮像パラメータとして設定する（Ｓ２０５）。
【００２９】
撮像制御部７１が動画撮像パラメータを静止画撮像パラメータに変換する方法の例として、テーブルを用いて変換する方法、関数を用いて変換する方法が挙げられる。テーブルを用いて変換する方法を用いる場合、撮像制御部７１は、動画撮像パラメータと変換後の静止画撮像パラメータとが対応づけられている表を参照することによって、静止画撮像パラメータを導出する。また、関数を用いて変換する方法を用いる場合、撮像制御部７１は、当該関数に動画撮像パラメータを入力することにより静止画撮像パラメータを導出する。
【００３０】
また、撮像制御部７１は、動画撮像パラメータおよび静止画撮像パラメータの取り得る値に応じて、テーブルを用いて変換する方法および関数を用いて変換する方法のいずれかを選択する構成であってもよい。例えば、撮像制御部７１は、動画撮像パラメータおよび静止画撮像パラメータの取り得る値が限られている（例えば、取り得る値が１０段階に区切られている）場合は、テーブルを用いて変換する方法を用い、数値が連続的に変化し、取り得る値が多い（例えば、取り得る値が１万段階に区切られている）場合は、関数を用いて変換する方法を用いる構成であってもよい。
【００３１】
図３は、撮像制御部７１が動画撮像パラメータのうちの一つ（例えば、自動露光調節用パラメータ）を静止画撮像パラメータに変換するときに参照する表の一例である。図３の表では、動画撮像パラメータは「１」から「５」の５段階、静止画撮像パラメータは「１」から「１０」の１０段階の値を取り得る。撮像制御部７１は、例えば、動画撮像パラメータが「１」の場合、第２カメラ２０に関わる静止画撮像パラメータを「１」に設定し、動画撮像パラメータが「４」の場合、第２カメラ２０に関わる静止画撮像パラメータを「７」に設定する。
【００３２】
また、撮像制御部７１が関数を用いて変換する場合に用いる関数として、以下の式（１）が挙げられる。
y = ax + b  （１）
ここで、
x：動画撮像パラメータの一つ（ここでは自動露光調節用パラメータ）
y：xに対応する静止画撮像パラメータ
a、ｂ：第１カメラ１０と第２カメラ２０との特性を基に予め調整した定数
撮像制御部７１は、式（１）のxに動画撮像パラメータの値を入力することによって算出したyを、静止画撮像パラメータに設定する。
【００３３】
次に、撮像制御部７１は、第２カメラ２０に係わる静止画撮像パラメータを用いて、第２カメラ２０を用いて被写体の静止画像の撮像処理を行う（Ｓ２０６）。撮像制御部７１は、第２カメラ２０が撮像した静止画像を取得すると、当該静止画像を静止画エンコーダ７３に出力する。静止画エンコーダ７３は、出力された静止画像を取得し、エンコードして第２記録装置６０に保存する（Ｓ２０７）。
【００３４】
そして、撮像制御部７１は、動画撮像停止の操作を受け付けたか否かを判定する。具体的には、シャッター４０（または、表示装置３０）から、動画像の撮像を停止する旨の操作を受け付けたことを示す操作情報を取得したか否かを判定する。撮像制御部７１は、動画撮像停止の操作を受け付けていないと判定した場合、Ｓ２０２の処理に戻る。
【００３５】
一方、撮像制御部７１は、動画撮像停止の操作を受け付けたと判定した場合、第１カメラ１０が撮像した動画を取得し、当該動画を動画エンコーダ７２に出力する。動画エンコーダ７２は、出力された動画を取得し、エンコードして第２記録装置６０に保存する（Ｓ２０９）。そして、制御装置７０は動画像の撮像を終了する（Ｓ２１０）。
【００３６】
このように、電子機器１は、第１カメラ１０（いずれか一方）を用いて被写体の動画像を撮像しているときに第２カメラ２０（他方）を用いて静止画像を撮像する場合、第１カメラ１０に係る撮像条件を示す動画撮像パラメータを用いて、被写体の静止画像を撮像する。そのため、電子機器１は、異なる２つの第１カメラ１０および第２カメラ２０のそれぞれにおいて撮像された動画像および静止画像の見え方を合わせることができる。
【００３７】
また、電子機器１は、第１カメラ１０に係る動画撮像パラメータを第２カメラ２０に係る静止画撮像パラメータに変換し、当該静止画撮像パラメータを用いて静止画像を撮像する。一般的に、動画像を撮像する第１カメラ１０と、静止画像を撮像する第２カメラ２０とは、特性（例えば、Ｆ値）が異なるレンズが用いられる。このような場合であっても、電子機器１は、動画撮像パラメータを静止画撮像パラメータに変換して静止画像を撮像することにより、異なる特性を有する２つの第１カメラ１０および第２カメラ２０のそれぞれにおいて撮像された動画像および静止画像の見え方を合わせることができる。
【００３８】
また、電子機器１は、自動露出調節用パラメータおよびホワイトバランス調節用パラメータの少なくとも何れかが含まれている動画撮像パラメータおよび静止画撮像パラメータを用いて撮像を行う。そのため、電子機器１は、第１カメラ１０および第２カメラ２０のそれぞれにおいて撮像された動画像および静止画像の明るさや色合いを合わせることができる。
【００３９】
また、電子機器１は、ズーム倍率が含まれている動画撮像パラメータおよび静止画撮像パラメータを用いて撮像を行う。そのため、電子機器１は、第１カメラ１０および第２カメラ２０のそれぞれにおいて撮像された動画像および静止画像に含まれる被写体の大きさを合わせることができる。
【００４０】
なお、本実施形態では、電子機器１が第１カメラ１０を用いて動画像を撮像しているときに第２カメラ２０を用いて静止画像を撮像する場合について説明したが、この場合に限定されない。すなわち電子機器１は、第２カメラ２０（何れか一方）を用いて静止画像を撮像しているときに第１カメラ１０（他方）を用いて動画像を撮像する場合についても、第２カメラを用いた静止画撮像における撮像条件を示す静止画撮像パラメータを用いて、第１カメラ１０を用いた動画像の撮像処理を行う。そのため、電子機器１は、第２カメラ２０を用いて静止画像を撮像しているときに第１カメラ１０を用いて動画像を撮像する場合であっても、異なる２つの第１カメラ１０および第２カメラ２０のそれぞれにおいて撮像された動画像および静止画像の見え方を合わせることができる。
【００４１】
また、本実施形態では、電子機器１が動画撮像パラメータを変換して静止画撮像パラメータを導出する構成について説明したが、これに限定されない。すなわち、電子機器１は、動画撮像パラメータをそのまま静止画撮像パラメータとして用いる構成であってもよい。
【００４２】
また、電子機器１は、状況に応じて、変換するパラメータを選択する構成であってもよい。例えば、動画撮像パラメータに３つのパラメータが含まれる場合、電子機器１は、当該３つのパラメータのうち、１つのパラメータを変換する構成、２つのパラメータを変換する構成、および３つのパラメータを変換する構成のうちいずれかを、状況に応じて選択できてもよい。
【００４３】
〔ソフトウェアによる実現例〕
電子機器１の制御装置７０は、集積回路（ＩＣチップ）等に形成された論理回路（ハードウェア）によって実現してもよいし、ソフトウェアによって実現してもよい。
【００４４】
後者の場合、電子機器１は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００４５】
〔まとめ〕
本発明の態様１に係る電子機器（１）は、動画像を撮像する少なくとも１つの第１撮像装置（第１カメラ１０）と、静止画像を撮像する少なくとも１つの第２撮像装置（第２カメラ２０）と、少なくとも１つの制御装置（７０）とを備える電子機器であって、上記制御装置は、上記第１撮像装置または上記第２撮像装置のいずれか一方を用いて被写体を撮像しているときに他方を用いて撮像する場合、上記第１撮像装置または上記第２撮像装置のいずれか一方を用いた撮像における撮像条件を示す撮像パラメータを用いて、他方を用いた上記被写体の撮像処理を行う。
【００４６】
上記の構成によれば、電子機器は、第１撮像装置を用いて動画像を撮像しているときに第２撮像装置を用いて静止画像を撮像する場合（または、第２撮像装置を用いて静止画像を撮像しているときに第１撮像装置を用いて動画像を撮像する場合）、撮像している動画像および静止画像の見え方（または、撮像している静止画像および動画像の見え方）を合わせることができる。すなわち、電子機器は、異なる２つの第１撮像装置および第２撮像装置の一方を用いて撮像しているときに他方を用いて撮像した場合、第１撮像装置および第２撮像装置のそれぞれにおいて撮像された動画像および静止画像の見え方を合わせることができる。
【００４７】
本発明の態様２に係る電子機器において、上記態様１における上記撮像処理において、上記第１撮像装置を用いて上記被写体を撮像しているときに、上記第２撮像装置を用いて上記被写体を撮像する場合、上記第１撮像装置を用いた撮像における上記撮像パラメータを用いて、上記第２撮像装置を用いた撮像を行ってもよい。
【００４８】
上記の構成によれば、電子機器は、第１撮像装置を用いて動画像を撮像しているときに第２撮像装置を用いて静止画像を撮像する場合、撮像している動画像および静止画像の見え方を合わせることができる。すなわち、電子機器は、第１撮像装置を用いて動画像を撮像しているときに第２撮像装置を用いて静止画像を撮像した場合、異なる２つの第１撮像装置および第２撮像装置のそれぞれにおいて撮像された動画像および静止画像の見え方を合わせることができる。
【００４９】
本発明の態様３に係る電子機器において、上記態様２における上記撮像処理において、上記第１撮像装置に係る上記撮像パラメータを上記第２撮像装置用に変換し、変換後の上記撮像パラメータを用いて静止画像を撮像してもよい。
【００５０】
上記の構成によれば、電子機器は、第１撮像装置を用いた撮像における撮像パラメータを第２撮像装置用に変換して、静止画像を撮像する。すなわち、電子機器は、第１撮像装置および第２撮像装置の特性（例えばレンズのＦ値）が異なる場合であっても、第１撮像装置および第２撮像装置のそれぞれにおいて撮像された動画像および静止画像の見え方を合わせることができる。
【００５１】
本発明の態様４に係る電子機器において、上記態様１から３のいずれかにおける上記撮像パラメータには、自動露出調節用パラメータおよびホワイトバランス調節用パラメータの少なくとも何れかが含まれていてもよい。
【００５２】
上記の構成によれば、電子機器は、第１撮像装置または第２撮像装置のいずれか一方を用いた撮像における自動露出調節用パラメータおよびホワイトバランス調節用パラメータの少なくとも何れかを用いて、他方を用いた撮像処理を行う。すなわち、電子機器は、異なる２つの第１撮像装置および第２撮像装置の一方を用いて撮像しているときに他方を用いて撮像した場合、第１撮像装置および第２撮像装置のそれぞれにおいて撮像された動画像および静止画像の明るさおよび色合いの少なくとも何れかを合わせることができる。
【００５３】
本発明の態様５に係る電子機器において、上記態様４における上記撮像パラメータには、さらにズーム倍率が含まれていてもよい。
【００５４】
上記の構成によれば、電子機器は、第１撮像装置または第２撮像装置のいずれか一方を用いた撮像におけるズーム倍率を用いて、他方を用いた撮像処理を行う。すなわち、電子機器は、異なる２つの第１撮像装置および第２撮像装置の一方を用いて撮像しているときに他方を用いて撮像した場合、第１撮像装置および第２撮像装置のそれぞれにおいて撮像された動画像および静止画像に含まれる被写体の大きさを合わせることができる。
【００５５】
本発明の態様６に係る制御装置は、電子機器を制御する制御装置であって、動画像を撮像する少なくとも１つの第１撮像装置または静止画像を撮像する少なくとも１つの第２撮像装置のいずれか一方を用いて被写体を撮像するときに、他方を用いた撮像における撮像条件を示す撮像パラメータを用いて、上記第１撮像装置または上記第２撮像装置のいずれか一方を用いた上記被写体の撮像処理を行う。
【００５６】
上記の構成によれば、上記態様１における電子機器と同等の効果を奏する制御装置を実現できる。
【００５７】
本発明の態様７に係る制御方法は、電子機器を制御する制御方法であって、動画像を撮像する少なくとも１つの第１撮像装置または静止画像を撮像する少なくとも１つの第２撮像装置のいずれか一方を用いて被写体を撮像するときに、他方を用いた撮像における撮像条件を示す撮像パラメータを用いて、上記第１撮像装置または上記第２撮像装置のいずれか一方を用いた上記被写体の撮像処理を含む。
【００５８】
上記の構成によれば、上記態様１における電子機器と同等の効果を奏する制御方法を実現できる。
【００５９】
本発明の各態様に係る電子機器は、コンピュータによって実現してもよく、この場合には、コンピュータを上記電子機器が備える各部（ソフトウェア要素）として動作させることにより上記電子機器をコンピュータにて実現させる電子機器のプログラム、およびそれを記録したコンピュータ読み取り可能な記録媒体も、本発明の範疇に入る。
【００６０】
［付記事項］
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６１】
１    電子機器
１０  第１カメラ（第１撮像装置）
２０  第２カメラ（第２撮像装置）
３０  表示装置
４０  シャッター
５０  第１記録装置
６０  第２記録装置
７０  制御装置
７１  撮像制御部
７２  動画エンコーダ
７３  静止画エンコーダ
【図１】
2019197946.tif 000003
【図２】
2019197946.tif 000004
【図３】
2019197946.tif 000005